(57)【要約】  【課題】  クイックリターンミラーのミラーアップ状態の検知を光学検知手段によって行うカメラにおいて、ミラーアップしないもしくはしきらないといった誤動作が発生したことを使用者に即座に知らせるために、レンズの種類が異なる場合やレンズが未装着である場合、高輝度下での撮影時でも、正確な検知を行うことである。【解決手段】  撮影レンズが装着されるカメラであって、前記撮影レンズの装着を検出する装着検出手段と、撮影光路に対して移動するミラーユニット（３３）と、該ミラーユニットの位置を光学的に検出する光学検出手段（３０）と、制御手段（３４）とを有し、該制御手段は、前記装着検出手段により前記撮影レンズの装着が検出されていない場合は、前記光学検出手段を用いた前記ミラーユニットの位置の検出を禁止することを特徴とするカメラ。【選択図】  図５
2006047875.tif 000002
【特許請求の範囲】
【請求項１】
撮影レンズが装着されるカメラであって、
前記撮影レンズの装着を検出する装着検出手段と、
撮影光路に対して移動するミラーユニットと、
該ミラーユニットの位置を光学的に検出する光学検出手段と、
制御手段とを有し、
該制御手段は、前記装着検出手段により前記撮影レンズの装着が検出されていない場合は、前記光学検出手段を用いた前記ミラーユニットの位置の検出を禁止することを特徴とするカメラ。
【請求項２】
前記制御手段は、前記装着検出手段により前記撮影レンズの装着が検出されていない場合は、前記光学検出手段の動作を禁止することを特徴とする請求項１に記載のカメラ。
【請求項３】
撮影レンズが装着されるカメラであって、
撮影光路に対して移動するミラーユニットと、
該ミラーユニットの位置を光学的に検出する光学検出手段と、
制御手段とを有し、
前記制御手段は、前記装着された撮影レンズに関する情報を取得し、該情報に応じて前記光学検出手段を用いた前記ミラーユニットの位置の検出感度を変更することを特徴とするカメラ。
【請求項４】
前記制御手段は、前記情報に応じて前記光学検出手段の検出感度を変更することを特徴とする請求項３に記載のカメラ。
【請求項５】
撮影レンズが装着されるカメラであって、
撮影光路に対して移動するミラーユニットと、
該ミラーユニットの位置を光学的に検出する光学検出手段と、
制御手段とを有し、
前記光学検出手段は、発光素子を有し、
前記制御手段は、前記装着された撮影レンズに関する情報を取得し、該情報に応じて前記発光素子の発光量を変更することを特徴とするカメラ。
【請求項６】
被写体輝度を測定する測光手段と、
撮影光路に対して移動するミラーユニットと、
該ミラーユニットの位置を光学的に検出する光学検出手段と、
制御手段とを有し、
前記制御手段は、前記測光手段による測光結果に応じて前記光学検出手段を用いた前記ミラーユニットの位置の検出感度を変更することを特徴とするカメラ。
【請求項７】
前記制御手段は、前記測光結果に応じて前記光学検出手段の検出感度を変更することを特徴とする請求項６に記載のカメラ。
【請求項８】
被写体輝度を測定する測光手段と、
撮影光路に対して移動するミラーユニットと、
該ミラーユニットの位置を光学的に検出する光学検出手段と、
制御手段とを有し、
前記光学検出手段は、発光素子を有し、
前記制御手段は、前記測光手段による測光結果に応じて前記発光素子の発光量を変更することを特徴とするカメラ。
【請求項９】
撮影光路に対して移動するミラーユニットと、
該ミラーユニットの位置を光学的に検出する光学検出手段と、
前記光学検出手段を用いた前記ミラーユニットの位置の検出を行う第１のモードと該検出を行わない第２のモードとを選択する選択手段とを有すること特徴とするカメラ。
【発明の詳細な説明】
【技術分野】
【０００１】
本発明は、撮影光路に対して移動するミラーユニットを有するカメラに関する。
【背景技術】
【０００２】
一般に一眼レフカメラのミラーユニットでは、撮影前には撮影光路内のファインダ観察位置にあって撮影者が撮影レンズの像を観察でき、撮影時には撮影光路外の露光退避位置に退避して、撮像が終了すると再びファインダ観察位置へ復帰するクイックリターンミラー方式が採用されている。
【０００３】
このミラーユニットが何らかの原因により、撮影時に露光退避位置に退避しないもしくは退避しきらないといった誤動作が発生した場合、撮像面へ至る撮影光束が一部遮光されて撮像画像がケラレるといった不具合を起こすおそれがある。そこで、ミラーが完全に露光退避位置に退避したことを検知する検知手段が必要となる。
【０００４】
このような検知手段の従来例として、ミラーが所定の露光退避位置に回転移動するとミラーに回転固持されたレバーが短絡状態にあるリーフスイッチのバネ接片を押し、開放状態とすることでミラーの動作を検知する検知手段を備えたカメラが提案されている（例えば、特許文献１参照）。
【０００５】
しかしながら、このようなメカ機構スイッチを用いた場合、ミラーの回転駆動トルクは上記メカ機構スイッチを可動するだけのトルクを上乗せして設定する必要があり、ミラーを駆動する駆動手段としてモータを使用しているカメラではモータに余分なトルクを持たせる必要がある。その結果、モータの大型化あるいはモータの消費電力の増加を招いていた。
【０００６】
また、バネ接片を用いているためチャタリングが発生しやすく、完全にミラーが露光退避位置に移動したことを検知するには時間がかかり、ミラーが当接部材に当接し停止するまでに起こるバウンド現象を検知できないといった問題があった。
【０００７】
このような問題を解決するために、ミラーの位置検知手段としてフォトリフレクタを用い、ミラーが所定の露光退避位置に移動するとフォトリフレクタから投光された光がミラーの端面に貼られた反射部材に反射され、その反射光をフォトリフレクタの受光部で検知することでミラーの誤動作を検知する技術手段が提案されている。
【０００８】
フォトリフレクタのような光学的に位置検出が可能なものを採用することにより、ミラーを駆動するための力を余分に必要とせず、また、ミラーの停止位置付近のバウンド状態が監視可能となる。そして、撮影に要する一連の動作時間を短縮して、連写射コマ速度の速いカメラを提供することができる。
【特許文献１】特開平１−１３４４４３号公報（第５頁）
【発明の開示】
【発明が解決しようとする課題】
【０００９】
しかしながら、フォトリフレクタをクイックリターンミラーの位置検知手段として用いると、カメラレンズがカメラに未装着であったり、Ｆ値が小さい明るいレンズを装着した場合、また高輝度での撮影時などでは、フォトリフレクタ受光部に多量の光が入射し、ミラーが露光退避位置に移動していないのに移動したと誤検知したり、入射光量がフォトリフレクタの検知レベルの上限を超えてしまい検知不能となってしまうといった問題がある。つまり、カメラへの入射光条件の違いによるフォトリフレクタの検知レベルの最適化が必要となる。また、カメラ調整時等ではフォトリフレクタの誤検知などでカメラが誤動作してしまうという問題がある。
【００１０】
しかしながら、クイックリターンミラーの位置検知手段としてフォトリフレクタを用いたカメラの入射光条件によるフォトリフレクタの最適な検知レベルについては、未だ提案がなされていない。
【００１１】
本発明は、上記問題点を解決するためになされたもので、ミラーアップ状態の検知をフォトリフレクタによって行うカメラにおいて、クイックリターンミラーがミラーアップしないもしくはしきらないといった誤動作が発生したことを使用者に即座に知らせるために、レンズの種類が異なる場合やレンズが未装着である場合に、高輝度下での撮影時でも、正確な検知を行うことを目的の一つとする。
【００１２】
更に、ミラーアップ状態の検知をフォトリフレクタによって行うカメラにおいて、フォトリフレクタの検知を行うか行わないかを選択設定することで誤検知によるカメラの誤動作を防止することを目的の一つとする。
【課題を解決するための手段】
【００１３】
上記課題を解決するために、一つの観点として本発明のカメラは、撮影レンズが装着されるカメラであって、前記撮影レンズの装着を検出する装着検出手段と、撮影光路に対して移動するミラーユニットと、該ミラーユニットの位置を光学的に検出する光学検出手段と、制御手段とを有し、該制御手段は、前記装着検出手段により前記撮影レンズの装着が検出されていない場合は、前記光学検出手段を用いた前記ミラーユニットの位置の検出を禁止することを特徴とする。
【発明の効果】
【００１４】
本発明によれば、光学検出手段に検出感度を超えた外光が入射して検出不能となり、誤動作するのを防止できる。
【発明を実施するための最良の形態】
【００１５】
以下、本発明の実施例について図面を参照して説明する。
【００１６】
（実施例１）
まず、図１〜図４を参照して、カメラのミラーボックス１５内に保持されたミラーユニットを含む光学部材について説明する。
【００１７】
ここで、図１は、非露光時における本発明の実施例１であるカメラの光軸方向を含む断面図であり、図２は、カメラの主要な部分を示す機能ブロック図であり、図３は、露光時における本発明の実施例１であるカメラの光軸方向を含む断面図であり、図４は、露光時におけるカメラの正面図であり、一部を断面図にするとともに、撮影レンズを取り外した状態で図示している。
【００１８】
これらの図において、１はカメラ本体であり、このカメラ本体１の前面中央にはマウント３２（図４参照）が設けられており、撮影レンズ９が着脱可能に装着される。図１の非露光状態において、ミラーユニット３３は撮影光路内の光路内位置に斜設されており、撮影レンズ９を透過した光束が入射する。
【００１９】
ミラーユニット３３は、メインミラー８及びこのメインミラー８に対して回動可能なサブミラー７によって構成されている。このサブミラー７は、非露光時においてメインミラー８に対して開状態にあり、露光時においてメインミラー８に対して閉状態にある。図２に示す３５は、ミラー駆動モータであり、ミラーユニット３３を駆動する。
【００２０】
カメラ本体１のマウント３２に撮影レンズ９が装着されることにより、カメラ本体１のレンズ通信接点部１４と撮影レンズ９の接点部９ａとが電気的に接続され、これら接点部１４、９ａを介して撮影レンズ９の装着状態の検出、カメラ本体１から撮影レンズ９への電力供給及び撮影レンズ９を制御するための信号の通信が行われる。
なお、撮影レンズ９の装着状態の検出についての詳細な説明は、後述する。
【００２１】
３４は、カメラ全体の制御を司る制御回路（制御手段）であり、図２に示すように内部メモリ３４ａ及びタイマ３４ｂを有している。
【００２２】
メインミラー８はハーフミラー（半透過ミラー）になっており、ヒンジ軸８ａを回転軸としてミラーボックス１５に保持されている。カメラの非露光時において、このメインミラー８で反射された光束は、ペンタプリズム１１や、ファインダ接眼レンズ１３等で構成されるファインダ光学系へと導かれる。
【００２３】
また、メインミラー８を透過した光束は、サブミラー７によって下方へ反射され、焦点検出ユニット１０に導かれる。
【００２４】
１６は測光センサであり、この測光センサ１６はペンタプリズム１１から導びかれたファインダ入射光の一部を検出する。
【００２５】
４は、漏出光を制限するアパーチャマスクであり、ミラーユニット３３の光軸方向後方に配置されている。このアパーチャマスク４には開口部４ａが形成されており、非露光時においてこの開口部４ａは、フォーカルプレーンシャッタ５により閉じられている。
【００２６】
５は、先幕及び後幕を有するフォーカルプレーンシャッタである。
【００２７】
アパーチャマスク４及びフォーカルプレーンシャッタ５の光軸方向後方には、光学ローパスフィルターおよび赤外線カットフィルターを一体化した光学フィルタ３が配置されている。２は、光学フィルタ３の光軸方向後方に配置された撮像素子（例えば、ＣＣＤセンサ、ＣＭＯＳセンサ）である。
【００２８】
２９は露光時において、撮影光路外の所定の光路外位置に退避するメインミラー８に当接して、位置決めするストッパであり、モルトプレーン等の衝撃吸収材料によって構成されている。
【００２９】
３０は、赤外光を投光する発光素子と赤外域の光に感度を有する受光素子とを有するフォトリフレクタ（光学検出手段）であり、発光素子及び受光素子は、図４に示すように、ミラーボックス１５の側面に設けられた穴部１５ａに対応した位置に配置されている。このフォトリフレクタ３０は、ミラーユニット３３が上述の所定の光路外位置に退避したかどうかを検出し、フォトリフレクタ３０からの出力信号は、制御回路３４に入力されるが、詳細な説明は後述する。
【００３０】
メインミラー８が撮影光路外の所定の光路外位置に退避した状態で、メインミラー保持板６及び発光素子・受光素子は、カメラの横方向視において、オーバーラップした位置に配置される。
【００３１】
メインミラー保持板６には、アルミシートによって構成された反射板３１が貼り付けられいる。上述の構成によれば、メインミラー８が撮影光路外の所定の光路外位置に退避した状態で、フォトリフレクタ３０の発光素子から発せられた光は、反射板３１によって反射され受光素子で受光される。
【００３２】
次に、本実施例のカメラの撮像動作について説明する。
【００３３】
撮影待機状態（非露光時）においては、メインミラー８は、光軸Ｌに対して４５°の角度に斜設されている。そして、撮影レンズ９を通った光を反射してペンタプリズム１１へ導き、ファインダー接眼レンズ１３を介して、使用者が被写体像を観察できるようになっている。この時、フォーカルプレーンシャッタ５は開口部４ａを閉じている。
【００３４】
シャッタボタン（不図示）の半押し状態であるＳＷ１が操作されると、撮影準備動作（測光センサ１６による測光動作及び焦点検出ユニット１０による焦点検出動作）が開始され、続いて全押し状態であるＳＷ２が操作されると撮影動作が開始され、ミラー駆動モータ３５の駆動力を受けたメインミラー８は、ヒンジ軸８ａを回転軸として時計周り方向に回転し、撮影光路外の所定の位置に退避する。
【００３５】
撮影レンズ９を透過した光束は、フォーカルプレーンシャッタ５が開いた状態においてアパーチャマスク４の開口部４ａを通過し、光学フィルタ３を透過した後、さらにその後方に配置された撮像素子２に結像する。
【００３６】
撮像素子２は、この結像した光学像を電気信号に変換して出力し、この出力された電気信号は、不図示の信号処理回路によって所定の信号処理が施された後、不図示の記録媒体に記録される。フォーカルプレーンシャッタ５は、所定の露光時間に応じて撮像素子２への光束を再び遮光する。
【００３７】
次に図５を参照して、ミラーアップ時におけるカメラの動作制御について説明する。ここで、図５は、ミラーアップ時におけるカメラの動作制御を示したフローチャートである。なお、以下のフローチャートは、制御回路３４によって実行される。
【００３８】
Ｓ１０１でＳＷ１が操作されると、Ｓ１０２で撮影準備動作、すなわち測光センサ１６による測光動作と焦点検出ユニット１０による焦点検出動作が開始される。
【００３９】
Ｓ１０３でＳＷ２が操作されると、Ｓ１０４で不図示の電源の蓄電量をチェックするバッテリーチェック処理が実行され、Ｓ１０５でミラー駆動とシャッタチャージを司る制御用カムギア（不図示）の初期位置位相がチェックされる。制御用カムギアは、ギア列を介してモータに連結されている。
【００４０】
Ｓ１０６では、制御用カムギアの初期位置が不適切な位相にある場合に、液晶表示画面３６にエラーを表示する。Ｓ１０５において、制御用カムギアの初期位置が適正であると判断された場合には、Ｓ１０７において、フォーカルプレーンシャッタ５の走行タイミングを決定する準備としてシャッタマグネットに通電する。
【００４１】
Ｓ１０８では、ミラーアップ動作のためにミラー駆動モータ３５への通電を開始する。
【００４２】
Ｓ１０９では、制御用カムギアの位相が切り換わったどうか判定し、切り換わった場合にはＳ１１０にてミラー駆動モータ３５への通電を停止して、該モータにブレーキをかける。
【００４３】
Ｓ１１１では、撮影レンズ９と通信することにより撮影レンズ９の装着状態を検出する。撮影レンズ９が未装着と判定されれば、以下のミラーアップ検知を行わず、Ｓ１２１のシャッタ幕位置チェックを行う。
【００４４】
Ｓ１１２では、ミラー駆動モータ３５への通電時間が所定時間に達したかどうかを、タイマ３４ｂを用いて判定し、所定時間が経過するまでミラー駆動モータ３５への通電を継続し、所定時間経過しても制御用カムギアの回転位相パターンの切り換わりが検出されない場合には、Ｓ１１３にて液晶表示画面３６にエラーを表示する。
【００４５】
Ｓ１１４では、レンズ通信ユニット３７によって、レンズ瞳位置、レンズＦ値などの撮影レンズ９に関する情報を取得し、Ｓ１１５にてそれらの情報に応じてフォトリフレクタ３０の検知感度の閾値、すなわち制御回路３４内の内部メモリ３４ａに記憶された判別閾値を変更して、フォトリフレクタ３０の発光素子からの発光量を補正する。
【００４６】
ここで検知感度の閾値の補正とは、レンズ通信ユニット３７によって取得した、レンズ瞳位置、レンズＦ値などの撮影レンズ情報からフォトリフレクタ３０に入射する光がその検知感度の閾値を超えると判断した場合は、検知飽和が起きないよう閾値をその撮影レンズ情報に応じて引き上げ、更に検知感度の閾値の補正量に応じて発光素子からの発光量を増加し、ミラーアップ検知を可能とするものである。
【００４７】
Ｓ１１６では、ミラー駆動モータ３５への通電を停止して、モータにブレーキをかけた後に、タイマ３４ｂを用いて所定時間カウントする。
【００４８】
Ｓ１１７では、タイマ３４ｂがこの所定時間経過時の１０ｍｓｅｃ前、すなわち、ミラーユニット３３が所定の光路外位置の直前に達したかどうかを判別し、１０ｍｓｅｃ前に達した場合には、Ｓ１１８にてフォトリフレクタ３０を駆動する。
【００４９】
Ｓ１１９では、フォトリフレクタ３０が駆動されてからタイマ３４ｂが所定時間カウントするまでの間に、フォトリフレクタ３０の発光素子から発せられ、反射板３１にて反射された光が受光センサによって受光されたかどうかを判定する。
【００５０】
そして、タイマ３４ｂが所定時間カウントするまでの間に、フォトリフレクタ３０の受光素子が発光素子から発せられた光を、受光素子が受光しなかった判定した場合には（Ｓ１２０）、ミラーユニット３３が撮影光路外の所定の位置までアップしなかったと判定して、液晶表示画面３６にエラーを表示する（Ｓ１１３）。
【００５１】
Ｓ１２１では、フォトリフレクタ３０の受光素子に入射して信号が出力されたことを検出した後、フォーカルプレーンシャッタ５の走行前の初期位置が正しい位置にあるかどうかを判別し、正しい位置にない場合に液晶表示画面３６にエラーを表示する。
【００５２】
Ｓ１２２〜Ｓ１２４では、フォーカルプレーンシャッタ５の先幕を走行させるために不図示の先幕用マグネットへの通電を絶ち、先幕を走行させ、所定の露出制御を実行する。そして、適正露光量となった時点でフォーカルプレーンシャッタ５の後幕を走行させるために不図示の後幕用マグネットへの通電を絶ち、後幕を走行させる。
以上で露光完了までの一連の動作が完了する。
【００５３】
本実施例では撮像素子を備えたデジタルカメラを例にして説明したが、銀塩フィルムを使ったカメラにも適用することができる。
【００５４】
このようにミラーユニット３３が所定の光路外位置に退避したことを検出するフォトリフレクタ３０を採用したカメラにおいて、撮影レンズ９が未装着である場合にフォトリフレクタ３０による検出を禁止することにより、フォトリフレクタ３０の受光素子に検出感度を超えた外光が入射して検出不能となり、誤動作するのを防止できる。
【００５５】
更に、明るい撮影レンズ９が装着された場合や、フォトリフレクタ３０に光が入射しやすい瞳位置を持った撮影レンズ９が装着された場合には、フォトリフレクタ３０の検出感度の閾値を高く設定する補正を行うとともに、フォトリフレクタ３０の発光素子からの発光量を増加することにより、フォトリフレクタ３０に多量の光が入射した場合であっても、ミラーユニット３３が所定の光路外位置に退避したことを確実に検出することができる。
【００５６】
なお、上述の図５のフローチャートにおいて、撮影レンズ９が装着されていない場合には（Ｓ１１１）、フォトリフレクタ３０の駆動を禁止したが、フォトリフレクタ３０を駆動して、制御回路３４のＳ１１９に相当する判定動作を禁止するように構成してもよい。
【００５７】
（実施例２）
次に、図６を参照して、実施例２のカメラのミラーアップ時における動作制御について説明する。ここで、図６は本実施例のカメラのミラーアップ時における動作制御を示したフローチャートであり、このフローチャートの処理は、制御回路３４によって実行される。なお、本実施例のカメラの構成は、実施例１とほぼ同様であるため、同一符号を付して説明を省略する。
【００５８】
Ｓ２０１からＳ２１０までの処理は、図５に示す実施例１のＳ１０１からＳ１１０と同様であるため、説明を省略する。
【００５９】
Ｓ２１１では、ミラー駆動モータ３５への通電時間が所定時間に達したかどうかを、タイマ３４ｂを用いてカウントし、所定時間が経過するまでミラー駆動モータ３５への通電を継続し、所定時間経過しても制御用カムギアの回転位相パターンの切換わりが検出されない場合には、Ｓ２１２にて液晶表示画面３６にエラーを表示する。
【００６０】
Ｓ２１３では、測光センサ１６（測光手段）によって測光情報を取得し、Ｓ２１４にてその情報に応じてフォトリフレクタ３０の検知感度の閾値、すなわち制御回路３４の内部メモリ３４ａに記憶された判別閾値を変更して、フォトリフレクタ３０の発光素子からの発光量を補正する。
【００６１】
ここで検知感度の閾値の補正とは、測光センサ１６により得られた測光情報からフォトリフレクタ３０に入射する光がその検知感度の閾値を超えると判断した場合は、検知飽和が起きないよう閾値を測光量に応じて引き上げ、更に検知感度の閾値の補正量に応じて発光素子からの発光量を増加し、ミラーアップ検知を可能とするものである。
【００６２】
Ｓ２１５では、ミラー駆動モータ３５への通電を停止して、モータブレーキをかけた後に、タイマ３４ｂを用いて所定時間カウントする。
【００６３】
Ｓ２１６では、タイマ３４ｂによるカウントがこの所定時間経過時の１０ｍｓｅｃ前に達したか、すなわち、ミラーユニット３３が所定の光路外位置の直前に達したかどうかを判別し、１０ｍｓｅｃ前に達した場合には、Ｓ２１７にてフォトリフレクタ３０を駆動する。
【００６４】
Ｓ２１８では、フォトリフレクタ３０が駆動されてからタイマ３４ｂが所定時間カウントするまでの間に、フォトリフレクタ３０の発光素子から発せられ、反射板３１にて反射された光が受光センサによって受光されたかどうかを判定する。
【００６５】
そして、タイマ３４ｂが所定時間カウントするまでの間に、フォトリフレクタ３０の受光素子が発光素子から発せられた光を、受光素子が受光しなかった判定した場合には（Ｓ２２０）、ミラーユニット３３が撮影光路外の所定の光路外位置までアップしなかったと判定して、液晶表示画面３６にエラーを表示する（Ｓ２１２）。
【００６６】
Ｓ２１９では、フォトリフレクタ３０の受光素子に入射して信号が出力されたことを検出した後、フォーカルプレーンシャッタ５の走行前の初期位置が正しい位置にあるかどうかを判別し、正しい位置にない場合には、Ｓ２１２に進み液晶表示画面３６にエラーを表示する。
【００６７】
Ｓ２２１〜Ｓ２２３では、フォーカルプレーンシャッタ５の先幕を走行させるために不図示の先幕用マグネットへの通電を絶ち、先幕を走行させ、所定の露出制御を実行する。そして、適正露光量となった時点でフォーカルプレーンシャッタ５の後幕を走行させるために不図示の後幕用マグネットへの通電を絶ち、後幕を走行させる。
以上で露光完了までの一連の動作が完了する。
【００６８】
本実施例では撮像素子を備えたデジタルカメラを例にして説明したが、銀塩フィルムを使ったカメラにも適用することができる。
【００６９】
このように本実施例では、ミラーユニット３３が所定の光路外位置に退避したことを検出するフォトリフレクタ３０を採用したカメラにおいて、測光センサ１６により得られた測光情報が高輝度であると判断された場合には、フォトリフレクタ３０の検知感度の閾値を高く設定する補正を行い、更にフォトリフレクタ３０の発光素子の発光量を増加している。これにより、フォトリフレクタ３０に外部から多量の光が入射した場合であっても、撮影光路外の所定の光路外位置にミラーユニット３３が退避したことを確実に検出することができる。
（実施例３）
次に、図７を参照して、実施例３のカメラのミラーアップ時における動作制御について説明する。ここで、図７は本実施例のカメラのミラーアップ時における動作制御を示したフローチャートであり、このフローチャートの処理は、制御回路３４によって実行される。なお、本実施例のカメラの構成は、実施例１とほぼ同様であるため、同一符号を付して説明を省略する。
【００７０】
Ｓ３０１からＳ３１０までの処理は、図５に示す実施例１のＳ１０１からＳ１１０と同様であるため、説明を省略する。
【００７１】
Ｓ３１１では、ミラーアップスイッチの検知をするモード（ミラーユニット３３が所定の光路外位置に退避したことを検出するモード）に設定されていなければ、以下のミラーアップ検知を行わず、Ｓ３１９のシャッタ幕位置チェックを行う。このミラーアップ検知モードは、不図示の設定スイッチを押すことにより設定することができる。
【００７２】
Ｓ３１４では、ミラー駆動モータ３５への通電を停止して、モータブレーキをかけた後に、タイマ３４ｂを用いて所定時間カウントする。
【００７３】
Ｓ３１５では、タイマ３４ｂによるカウント結果がこの所定時間経過時の１０ｍｓｅｃ前に達したか、すなわち、ミラーユニット３３が所定の光路外位置の直前に達したかどうかを判別し、１０ｍｓｅｃ前に達した場合には、Ｓ３１６にてフォトリフレクタ３０を駆動する。
【００７４】
Ｓ３１７では、フォトリフレクタ３０が駆動されてからタイマ３４ｂが所定時間カウントするまでの間に、フォトリフレクタ３０の発光素子から発せられ、反射板３１にて反射された光が受光センサによって受光されたかどうかを判定する。
【００７５】
そして、タイマ３４ｂが所定時間カウントするまでの間に、フォトリフレクタ３０の受光素子が発光素子から発せられた光を、受光素子が受光しなかった判定した場合には（Ｓ３１８）、ミラーユニット３３が撮影光路外の所定の光路外位置までアップしなかったと判定して、液晶表示画面３６にエラーを表示する（Ｓ３１３）。
【００７６】
Ｓ３１９では、フォトリフレクタ３０の受光素子に入射して信号が出力されたことを検出した後、フォーカルプレーンシャッタ５の走行前の初期位置が正しい位置にあるかどうかを判別し、正しい位置にない場合には、Ｓ３１３に進み液晶表示画面３６にエラーを表示する。
【００７７】
Ｓ３２０〜Ｓ３２２では、フォーカルプレーンシャッタ５の先幕を走行させるために不図示の先幕用マグネットへの通電を絶ち、先幕を走行させ、所定の露出制御を実行する。そして、適正露光量となった時点でフォーカルプレーンシャッタ５の後幕を走行させるために不図示の後幕用マグネットへの通電を絶ち、後幕を走行させる。
以上で露光完了までの一連の動作が完了する。
【００７８】
本実施例では撮像素子を備えたデジタルカメラを例にして説明したが、銀塩フィルムを使用するカメラにも適用することができる。
【００７９】
このように本実施例では、ミラーユニット３３が所定の光路外位置に退避したことを検出するフォトリフレクタ３０を採用したカメラにおいて、カメラ調整時等ではミラーアップの検知をしないように設定にしておけば、フォトリフレクタ３０の誤検知によるカメラの誤動作を防止することができる。
【図面の簡単な説明】
【００８０】
【図１】非露光時におけるカメラの光軸方向を含む断面図
【図２】カメラの主要な部分を示す機能ブロック図
【図３】露光時におけるカメラの光軸方向を含む断面図
【図４】露光時におけるカメラの正面図
【図５】実施例１のミラーアップ時におけるカメラの動作制御を示すフローチャート。
【図６】実施例２のミラーアップ時におけるカメラの動作制御を示すフローチャート。
【図７】実施例３のミラーアップ時におけるカメラの動作制御を示すフローチャート。
【符号の説明】
【００８１】
１  カメラ本体
２  撮像素子
３  光学フィルタ
４  アパーチャマスク
５  フォーカルプレーンシャッタ
６  メインミラー保持板
７  サブミラー
８  メインミラー
９スペース撮影レンズ
１０  焦点検出ユニット
１１  ペンタプリズム
３０  フォトリフレクタ
３１  反射板
３４  制御回路
【図１】
2006047875.tif 000003
【図２】
2006047875.tif 000004
【図３】
2006047875.tif 000005
【図４】
2006047875.tif 000006
【図５】
2006047875.tif 000007
【図６】
2006047875.tif 000008
【図７】
2006047875.tif 000009